(57)【要約】【課題】加湿フィルタを収納保持して回転する保持枠が通気の作用により倒れ変位することを、該保持枠の着脱を阻害しない簡素な構成にて抑制し、この変位に伴う不具合の発生を未然に回避し得る加湿機を提供する。【解決手段】加湿フィルタを収納保持する保持枠30の外周に設けたリングギヤ部32の歯幅方向一側に、径方向外向きに張り出す鍔状のストッパ部33を周設し、リングギヤ部32に噛合する伝動ギヤ51の端面に通気の方向の上流側から対向させ、通気の方向に生じる保持枠30の倒れ変位が、伝動ギヤ51の端面にストッパ部33が当接することによって抑制されるように構成する。【選択図】図５
2011052875.tif 000002
【特許請求の範囲】
【請求項１】
加湿フィルタを収納保持する円盤形の保持枠を、該保持枠の外周に転接する伝動ローラからの伝動により中心周りに回転させ、水を含んで前記保持枠と共に回転する前記加湿フィルタに空気を通し、該加湿フィルタの下流側に気化水分を含む湿り空気を送り出すように構成された加湿機において、
前記保持枠の外周に径方向外向きに張り出すように周設してあり、前記空気の通気方向の上流側から前記伝動ローラの一部に対向するストッパ部を備えることを特徴とする加湿機。
【請求項２】
前記保持枠は、前記伝動ローラと、該伝動ローラと異なる位置の外周に転接する複数の支持ローラとにより支持してある請求項１又は請求項２に記載の加湿機。
【請求項３】
前記伝動ローラは、前記保持枠の外周に周設されたリングギヤ部に噛合する伝動ギヤであり、前記ストッパ部は、前記リングギヤ部の歯幅方向一側の端部に一体に設けられ、前記伝動ギヤの端面に対向させてある請求項１又は請求項２に記載の加湿機。
【発明の詳細な説明】
【技術分野】
【０００１】
本発明は、水を含んだ加湿フィルタに空気を通し、該加湿フィルタの下流側に導出される気化水分を含む湿り空気を外部に送り出すように構成された加湿機に関する。
【背景技術】
【０００２】
近年、健康指向の高まりに応じて、室内の空気に適正な湿度を与えるための加湿機が広く用いられている。特に、水の加熱蒸発を伴わずに加湿を可能とする気化式の加湿機（例えば、特許文献１参照）は、室内温度に影響を与えずに湿度調節をなし得ることから、その普及が拡大している。
【０００３】
気化式の加湿機は、吸込口と吐出口とを結ぶ送風路の中途に、送風ファンと水を含んだ加湿フィルタとを配し、送風ファンの動作により吸込口を経て送風路内に導入される空気を加湿フィルタに通し、吐出口を経て室内に送り出すように構成されている。
【０００４】
加湿フィルタは、高い含水性を有すると共に通気が可能な材料（不織布等）製のシートであり、通気との接触面積を増すべく蛇腹状に折り重ね、円盤形の保持枠に収納保持してある。保持枠は、定量の水を貯留する水受け皿の上部に横軸周りでの回転自在に支持し、前記水受け皿中の貯留水に下部を浸漬させてあり、外周に設けたリングギヤに噛合する伝動ギヤからの伝動により低速度で回転駆動されている。
【０００５】
保持枠は、送風路に臨む両面に通気用の開口を有しており、送風路内を流れる空気は、一面の開口を経て保持枠内に入り、加湿フィルタとの接触により気化水分を含む湿り空気となって、他面の開口を経て送り出される。加湿フィルタは、保持枠と共に回転しつつ水受け皿中の貯留水を吸い上げ、気化に伴って失われる水分を補充するようになしてある。
【先行技術文献】
【特許文献】
【０００６】
【特許文献１】特開２００９−８５５１１号公報
【発明の概要】
【発明が解決しようとする課題】
【０００７】
以上の如く構成された加湿機において、回転する保持枠には、内部に収納保持した加湿フィルタを空気が通過する際の通気抵抗が作用しており、該保持枠が、通気の方向に押されて倒れ変位し、保持枠外周のリングギヤと伝動ギヤとの噛合状態が損なわれ、伝動負荷の増大、伝動音の発生、歯面の摩耗等、伝動阻害に伴う種々の不具合を発生するという問題があった。
【０００８】
この問題は、保持枠の支持構造を強化して、通気の作用による倒れ変位を抑えることにより解消することができる。しかしながら前記保持枠は、収納保持した加湿フィルタの保守、交換のために着脱する必要があり、この着脱を難しくする支持構造の強化は望ましい対策ではない。
【０００９】
保持枠への伝動は、前記伝動ギヤ及びリングギヤによる歯車伝動に代えて、保持枠の外周に転接する伝動ローラを備え、転接部での摩擦を利用する摩擦伝動によっても実現可能であるが、この場合においても、保持枠の倒れ変位が伝動阻害を招来し、前述した不具合が発生するという問題がある。
【００１０】
本発明は斯かる事情に鑑みてなされたものであり、加湿フィルタを収納保持して回転する保持枠が通気の作用により倒れ変位することを、該保持枠の着脱を阻害しない簡素な構成にて抑制し、この変位に伴う不具合の発生を未然に回避し得る加湿機を提供することを目的とする。
【課題を解決するための手段】
【００１１】
本発明に係る加湿機は、加湿フィルタを収納保持する円盤形の保持枠を、該保持枠の外周に転接する伝動ローラからの伝動により中心周りに回転させ、水を含んで前記保持枠と共に回転する前記加湿フィルタに空気を通し、該加湿フィルタの下流側に気化水分を含む湿り空気を送り出すように構成された加湿機において、前記保持枠の外周に径方向外向きに張り出すように周設してあり、前記空気の通気方向の上流側から前記伝動ローラの一部に対向するストッパ部を備えることを特徴とする。
【００１２】
本発明においては、加湿フィルタに加わる通気抵抗により保持枠が通気の方向に押されて倒れ変位するとき、保持枠の外周に周設された鍔状のストッパ部が、前記外周に転接する伝動ローラの一部に当接して前記倒れ変位を抑制し、伝動阻害に伴う不具合の発生を防止する。
【００１３】
また本発明に係る加湿機は、前記保持枠が、前記伝動ローラと、該伝動ローラと異なる位置の外周に転接する複数の支持ローラとにより支持してあることを特徴とする。
【００１４】
この発明においては、加湿フィルタを収納保持する保持枠を、該保持枠の外周に転接する複数のローラで支持する。保持枠の両面の中央部に回転支持のために設けられる支軸が不要となり、該支軸が位置する保持枠の中央部及びその周辺を通気用の開口として有効利用して加湿能力の向上を図ることができる。この支持構造は、ストッパ部により倒れ変位が抑制されることにより実現されるものである。
【００１５】
また本発明に係る加湿機は、前記伝動ローラが、前記保持枠の外周に周設されたリングギヤ部に噛合する伝動ギヤであり、前記ストッパ部が、前記リングギヤ部の歯幅方向一側の端部に一体に設けられ、前記伝動ギヤの端面に対向させてあることを特徴とする。
【００１６】
この発明においては、伝動ローラを歯車として構成された伝動ギヤとし、保持枠の外周に設けたリングギヤ部に噛合させて、滑りのない確実な伝動を実現すると共に、リングギヤ部の歯幅方向一側の端部にストッパ部を一体に周設し、これに対向する伝動ギヤの端面との当接により保持枠の倒れ変位を確実に抑制する。
【発明の効果】
【００１７】
本発明に係る加湿機においては、加湿フィルタを収納保持する保持枠に生じる通気の方向の倒れ変位が、保持枠の外周に周設されたストッパ部が伝動ギヤの対向部分に当接することにより抑制されるから、保持枠への伝動阻害に伴う不具合の発生を、ストッパ部を設けるだけの簡素な構成により未然に防止し、安定した加湿運転を実現することが可能となる等、本発明は優れた効果を奏する。
【図面の簡単な説明】
【００１８】
【図１】本発明に係る加湿機の外観斜視図である。
【図２】本発明に係る加湿機の概略構成を示す側断面図である。
【図３】加湿フィルタユニットの支持構造を示す斜視図である。
【図４】加湿フィルタユニットの支持構造を示す一部破断正面図である。
【図５】図４のＶ−Ｖ線による拡大断面図である。
【発明を実施するための形態】
【００１９】
以下本発明をその実施の形態を示す図面に基づいて詳述する。図１は、本発明に係る加湿機の外観斜視図、図２は、本発明に係る加湿機の概略構成を示す側断面図である。なお図２は、正面を右、背面を左として示してあり、図１は、背面側（図２の右側）から見た斜視図である。以下の説明では、正面側を前とし、背面側を後とする。
【００２０】
本発明に係る加湿機は、矩形箱形のハウジング１の内部に、送風ファン２、加湿フィルタユニット３及び水受け皿４を備えている。図２に示すようにハウジング１の内部は、隔壁11により後側の吸込室12と前側の吐出室13とに分割されている。吸込室12は、ハウジング１の後面パネル14に開設された多数の吸込口15，15…を介して外部に連通し、また吐出室13は、ハウジング１の天板に開設された吐出口16を介して外部に連通しており、更に吸込室12と吐出室13とは、隔壁11の下部に設けた開口 11aを経て相互に連通している。
【００２１】
図１に示すように、後面パネル14は着脱可能であり、該後面パネル14の前側には、脱臭フィルタ17及び集塵フィルタ18が積層配置してある。脱臭フィルタ17は、例えば、不織布に活性炭を分散保持させてなり、通気中の臭い成分を吸着、除去する作用をなす。集塵フィルタ18は、例えば、公知のＨＥＰＡ（High Efficiency Particulate Air ）フィルタであり、通気中に含まれる微細な塵埃を捕集、除去する作用をなす。脱臭フィルタ17及び集塵フィルタ18は、合成樹脂製の矩形の枠体 17a,18aに各別に一体化され、後面パネル14の前側に設けたフィルタ室に嵌め込まれている。
【００２２】
送風ファン２は、羽根車20と、該羽根車20を駆動するファンモータ21とを備えている。ファンモータ21は、吐出室13の外部に固定されている。羽根車20は、吐出室13内に突出するファンモータ21の出力端に固定され、隔壁11下部の開口 11aに対向配置してある。送風ファン２の羽根車20は、ファンモータ21の駆動により回転する。羽根車20が回転した場合、図１中に白抜矢符にて示すように、後面パネル14の吸込口15，15…を経て吸込室12の内部に外気が導入され、該吸込室12の内部を前方向に流れて隔壁11下部の開口 11aを経て羽根車20に吸い込まれ、上向きに方向を変えて吐出室13の内部に導出され、吐出室13の末端の吐出口16を経て外部に送り出される。
【００２３】
このようにハウジング１の内部の吸込室12及び吐出室13は、送風ファン２の動作に応じて前述した空気の流れが生じる送風路を構成する。前記脱臭フィルタ17及び集塵フィルタ18は、以上の如き送風路の上流側に位置しており、吸込口15，15…を経て吸込室12に導入される外気は、脱臭フィルタ17の通過により臭い成分を除去され、集塵フィルタ18の通過により塵埃を除去された清浄な空気となって、吐出室13の末端の吐出口16を経て送り出される。図示の加湿機は、脱臭フィルタ17及び集塵フィルタ18の配置により空気清浄機としても機能する。
【００２４】
加湿フィルタユニット３及び水受け皿４は、以上のように送風路の内部を流れる空気を加湿すべく、集塵フィルタ18と送風ファン２との間に配置してある。
【００２５】
水受け皿４は、ハウジング１の底板上に載置され、集塵フィルタ18の前側の吸込室12の内部に配してある。図１に示すように水受け皿４は、該水受け皿４上に後述のように支持される加湿フィルタユニット３と共に、ハウジング１の一側面から外部に引き出すことが可能である。水受け皿４の引き出し側の端部には、広幅のタンク受け40が連設してあり、該タンク受け40には、給水タンク41が着脱されるようになしてある。
【００２６】
給水タンク41は、一側の端部に給水栓42を有する直方体のタンクであり、前記給水栓42の側を下向きとした倒立姿勢にてタンク受け40に装着される。給水栓42は、公知の定水位弁を内蔵している。この定水位弁は、タンク受け40への給水タンク41の装着時に、該タンク受け40の該当位置に立設した押し上げ突起43（図３参照）に押し上げられて開放状態となり、給水タンク41内の収容水を水受け皿４に送り出し、該水受け皿４の内部に一定水位の水を貯留させるように作用する。
【００２７】
加湿フィルタユニット３は、中空の円盤形をなす保持枠30の内部に加湿フィルタ31を収納保持して構成されている。加湿フィルタ31は、不織布等、高い含水性を有すると共に通気が可能な材料製のシートであり、後述するように流れる通気との接触面積を増すべく、図２に示すように、蛇腹状に折り重ねて前記保持枠30に収納されている。
【００２８】
図３は、加湿フィルタユニット３の支持構造を示す斜視図、図４は、同じく一部破断正面図であり、水受け皿４の一部を破断して示してある。なお図３、図４中には、加湿フィルタユニット３の保持枠30のみを図示し、該保持枠30の内部の加湿フィルタ31の図示は省略してある。
【００２９】
図３、図４に示すように加湿フィルタユニット３の下部は、水受け皿４の内部に差し込まれ、図４に示すように、水受け皿４の内部に設けた２つの支持ローラ６，６の上に載置することにより、図３に示すように、水受け皿４の上で垂直に立ち上がる姿勢で支持されされている。支持ローラ６，６は、水受け皿４の底面上で長手方向の両側に振り分け配置され、夫々の位置で保持枠30の下部外周面に転接している。
【００３０】
このように支持された加湿フィルタユニット３は、保持枠30の下部を水受け皿４の内部に差し込み、支持ローラ６，６の上に載置することにより、図３に示すように、水受け皿４の上で垂直に立ち上がる姿勢で支持され、この支持姿勢を保って、支持ローラ６，６の転動により中心周りに回転することができる。
【００３１】
このように支持された加湿フィルタユニット３は、図１に示すように、ハウジング１の一側面から水受け皿４と共に外部に引き出し、上方に持ち上げることで容易に取り外すことができる。また逆に、水受け皿４内部の支持ローラ６，６の上に載置することで、前述した姿勢に容易に支持することができ、この状態で水受け皿４と共にハウジング１内に押し込み、該ハウジング１の内部の所定位置にセットすることができる。このような加湿フィルタユニット３の着脱は、加湿フィルタ31の保守、交換、更には、水受け皿４内の清掃のために実施される。
【００３２】
保持枠30の外周面には、図３に示すように、幅方向の中央部に全周に亘って歯が形成された適宜幅のリングギヤ部32が一体に設けてある。リングギヤ部32は、図２、図４に示すように、保持枠30の上位置に配した伝動機構５の伝動ギヤ51に噛合されている。
【００３３】
伝動機構５は、基台50の一面に取り付けた伝動ギヤ51及び駆動ギヤ52と、基台50の他面に取り付けた駆動モータ53を備え、基台50を貫通する複数本の固定ねじ54，54…によりハウジング１の内部の端壁11の適宜位置に固定されている。駆動ギヤ52は、駆動モータ53の出力軸に嵌着されており、駆動モータ53の回転は、駆動ギヤ52を介して伝動ギヤ51に伝わり、該伝動ギヤ51が回転するように構成されている。
【００３４】
伝動機構５の伝動ギヤ51と保持枠30のリングギヤ部32との噛合は、加湿フィルタユニット３がハウジング１の内部の所定位置にセットされた状態で生じ、この噛合により加湿フィルタユニット３は、水受け皿４の内部の２つの支持ローラ６，６と、伝動機構５の伝動ギヤ51とにより、周方向の異なる位置で３点支持される。
【００３５】
このように支持される加湿フィルタユニット３は、図２に示すように、吸込室12の内部において集塵フィルタ18の前側及び送風ファン２の後側に対向するように位置し、駆動モータ53を駆動した場合、駆動ギヤ52の回転が、伝動ギヤ51及びリングギヤ部32を介して保持枠30に伝わり、加湿フィルタユニット３は、図２に示す位置を保って保持枠30の中心周りに回転する。
【００３６】
本発明に係る加湿機は、以上の如き保持枠31の外周に周設されたストッパ部33を備えている。図３に示すようにストッパ部33は、リングギヤ部32の歯幅方向一側に、歯高と略等しい高さを有し、径方向外向きに張り出すように一体形成された鍔状の部分である。
【００３７】
図５は、ストッパ部33の作用説明のための図４のＶ−Ｖ線による拡大断面図である。本図に示すように伝動ギヤ51は、同軸上に適長離れて並設された第１のギヤ部 51aと第２のギヤ部 51bとを備え、基台50の一面に突設された支軸55に外嵌し、該支軸55の先端に固定した押え板56により抜け止めして、前記支軸55を中心として回転可能に支持されている。
【００３８】
保持枠30外周のリングギヤ部32は、伝動ギヤ51の第１のギヤ部 51aに噛合されており、リングギヤ部32の一側に周設されたストッパ部33は、第１のギヤ部 51aの端面に、前側から、即ち、後述する空気の流れ方向の上流側から対向している。第１のギヤ部 51aとストッパ部33との対向面間には、図示のように適宜の隙間Δが確保されている。これにより、ハウジング１の内部に加湿フィルタユニット３が前述のようにセットされるとき、第１のギヤ部 51aは、ストッパ部33とが当接することなくリングギヤ部32に噛合される。
【００３９】
第１のギヤ部 51aと第２のギヤ部 51bとの間の小径部には、径方向外向きに張り出すように水切り鍔57が周設されている。この水切り鍔57は、保持枠30外周のリングギヤ部32を介して第１のギヤ部 51aに付着する水を遮断し、第２のギヤ部 51bに移行することを阻止する作用をなす。
【００４０】
駆動ギヤ52は、伝動ギヤ51の第２のギヤ部 51bに噛合されている。第２のギヤ部 51bの歯面は、水切り鍔57の作用により、水が付着していない清浄な状態に保たれるから、駆動ギヤ52と第２のギヤ部 51bとの噛合部に水垢が析出、堆積し、伝動阻害を引き起こす虞れがない。
【００４１】
以上の如く構成された加湿機は、ファンモータ21を駆動すると共に、駆動モータ53を駆動することによって加湿運転される。駆動モータ53の駆動により駆動ギヤ52が回転し、この回転が第２のギヤ部 51bに伝わり、該第２のギヤ部 51bが、これと一体化された第１のギヤ部 51aと共に回転し、第１のギヤ部 51aの回転が、これに噛合するリングギヤ部32を介して加湿フィルタユニット３の保持枠30に伝わり、該保持枠30が回転する。
【００４２】
保持枠30の下部を支える水受け皿４の内部には、前述の如く、一定量の水が貯留されており、回転する保持枠30の下部は、水受け皿４の貯留水中に浸漬される。図３、図４に示すように保持枠30は、両面に開口を有しており、水受け皿４の貯留水は、保持枠30の内部に収納保持された加湿フィルタ31に両面の開口を経て吸い上げられ、該保持枠30の回転により持ち上げられて、加湿フィルタ31の全体に行き渡る。
【００４３】
一方、ファンモータ21の駆動により、前述したように、吸込室12の内部に後側から前側に向かう空気の流れが発生する。この空気は、保持枠30の内部に後面の開口を経て導入され、該保持枠30に収納保持された加湿フィルタ31を通気し、該加湿フィルタ31に含まれる水と接触して気化水分を含む湿り空気となり、他面の開口を経て送り出される。
【００４４】
加湿フィルタユニット３の保持枠30は、下部の外周に転接する２つの支持ローラ６，６と、上部外周に転接する伝動ギヤ51とにより３点支持されており、回転支持のための支軸を中心部に設ける必要がない。従って、保持枠30の前後両面には、図２、図３に示すように、内部の加湿フィルタ31を支えるための最小限の支え部を除く略全面に開口を設けることができ、保持枠30の内部には、前後で阻害されることなく多くの空気が通り、加湿フィルタ31と通気との接触を良好に行わせて、加湿性能の向上を図ることができる。
【００４５】
以上の如き通気が生じた場合、保持枠30には、内部に収納保持した加湿フィルタ31を空気が通過する際の通気抵抗が作用する。これにより保持枠30は、通気の方向に押され、下部の支持ローラ６，６を支点として倒れ変位する。図５中の白抜矢符は、保持枠30内部の通気の方向、及びこの通気の作用による倒れ変位の方向を示している。
【００４６】
本発明の加湿機は、前述したように、保持枠30の外周に周設されたストッパ部33を備えており、このストッパ部33は、伝動ギヤ51（第１のギヤ部 51a）の端面に、前述した通気の方向の上流側から対向している。従って、通気の作用による保持枠30の前述した倒れ変位は、ストッパ部33が伝動ギヤ51に当接することにより、両者間に確保された初期隙間Δの範囲で制限される。
【００４７】
保持枠30は、大径の円盤状をなす部材であり、前述した目的で設けられた初期隙間Δの範囲内で生じる倒れ変位の角度はわずかであり、保持枠30外周のリングギヤ部32と伝動ギヤ51（第１のギヤ部 51a）との噛合状態は良好に保たれ、伝動負荷の増大、伝動音の発生、歯面の摩耗等の不具合を招来せず、安定した運転状態を維持することができる。
【００４８】
以上の効果は、保持枠30の外周にストッパ部33を設けるだけの簡素な構成により実現され、ストッパ部33は、加湿フィルタユニット３の前述した着脱を阻害しないから、本発明の加湿機は、使い勝手を良好に保ちながら、伝動阻害の発生を有効に防止することができる。
【００４９】
なお以上の実施の形態においては、伝動ギヤ51（第１のギヤ部 51a）の端面に対向するようにストッパ部33を設けてあるが、ストッパ部33は、伝動ギヤ51の適宜部位に対向するように設けることができる。
【００５０】
また保持枠30への伝動機構５は、伝動ギヤ51及び駆動ギヤ52を備える歯車伝動機構に限らず、伝動ローラ及び駆動ローラを備え、これらの転接部間での摩擦を利用する摩擦伝動機構によって構成することもできるが、この構成においても、保持枠30の外周に、伝動ローラの一部に通気方向の上流側から対向するストッパ部を設けることで同様の作用効果が得られることは言うまでもない。
【符号の説明】
【００５１】
６  支持ローラ
30  保持枠
31  加湿フィルタ
32  リングギヤ部
33  ストッパ部
51  伝動ギヤ（伝動ローラ）
【図１】
2011052875.tif 000003
【図２】
2011052875.tif 000004
【図３】
2011052875.tif 000005
【図４】
2011052875.tif 000006
【図５】
2011052875.tif 000007